(57)【特許請求の範囲】
【請求項１】
遊技球供給皿の近傍にカードリーダ操作装置を備えたパチンコ機において、機枠に扉部材を支持し、前記扉部材に皿形成体と前面カバーとを分解可能に取り付け、前記皿形成体を、前記遊技球供給皿が形成された上面部と、前記前面カバーが係止される前面部と、前記扉部材に接合する背面部とから断面略コ字状に成形し、前記皿形成体に前記遊技球供給皿を形成する一方、前記カードリーダ操作装置に、前記皿形成体の前面部に係止されるフックと、前記皿形成体の背面部に係止される突起とを設け、当該カードリーダ操作装置を前記皿本体に着脱可能に組み付け、さらに、前記カードリーダ操作装置の前面に手動操作部材を設け、前記前面カバーに前記手動操作部材を露出させる透孔を設けたことを特徴とするパチンコ機。
【請求項２】
前記カードリーダ操作装置に、前記手動操作部材を包囲する環状突起を設け、当該環状突起を前記前面カバーの透孔に嵌合した請求項１記載のパチンコ機。
【発明の詳細な説明】
【０００１】
【発明の属する技術分野】
本発明は、パチンコ機に関するものである。
【０００２】
【従来の技術】
従来、カードリーダの操作装置を遊技球供給皿の近傍に設けたパチンコ機が知られている。例えば、図５に示す従来のパチンコ機は、前面扉５１の下側に供給皿ユニット５２を配置し、この皿ユニット５２の上面に遊技球供給皿５３を形成し、皿ユニット５２の内部にスイッチ（図示略）を組み付け、皿ユニット５２の前面に押ボタン５４を露出させ、押ボタン５４でスイッチを動作させて、カードリーダ５５を操作するように構成されている。
【０００３】
【発明が解決しようとする課題】
ところが、従来のパチンコ機によると、スイッチ及び押ボタン５４等からなる操作装置と供給皿５３とが一体化されているので、供給皿５３が損傷したりスイッチが故障したりした場合に、この部分を単独で交換することが困難であった。このため、修理に際し、従来は皿ユニット５２の全体を交換する必要があり、作業が大掛かりになるという問題点があった。
【０００４】
そこで、本発明の課題は、供給皿が損傷したり、操作装置が故障したりした場合に、これらを単独で容易に交換できるパチンコ機を提供することにある。
【０００５】
【課題を解決するための手段】
上記の課題を解決するために、本発明は、遊技球供給皿の近傍にカードリーダ操作装置を備えたパチンコ機において、機枠に扉部材を支持し、前記扉部材に皿形成体と前面カバーとを分解可能に取り付け、前記皿形成体を、前記遊技球供給皿が形成された上面部と、前記前面カバーが係止される前面部と、前記扉部材に接合する背面部とから断面略コ字状に成形し、前記皿形成体に前記遊技球供給皿を形成する一方、前記カードリーダ操作装置に、前記皿形成体の前面部に係止されるフックと、前記皿形成体の背面部に係止される突起とを設け、当該カードリーダ操作装置を前記皿本体に着脱可能に組み付け、さらに、前記カードリーダ操作装置の前面に手動操作部材を設け、前記前面カバーに前記手動操作部材を露出させる透孔を設けたことを特徴とする（請求項１）。
【０００６】
また、カードリーダ操作装置の組付強度を一層向上するために、前記カードリーダ操作装置に、前記手動操作部材を包囲する環状突起を設け、当該環状突起を前記前面カバーの透孔に嵌合するとよい（請求項２）。
【０００７】
【発明の実施の形態】
以下、本発明の実施の形態を図面に基づいて説明する。図１に示すように、この実施形態のパチンコ機においては、機枠１の上部に前面扉２が設けられ、前面扉２の下側に供給皿ユニット３が配置され、該ユニット３の下側に貯留皿ユニット４が配置され、機枠１の左横にカードリーダ（図５参照）が設置されている。貯留皿ユニット４には、遊技球貯留皿５、灰皿６及び発射ハンドル７等が設けられている。
【０００８】
図２〜図４に示すように、供給皿ユニット３は、扉部材９と皿形成体１０と前面カバー１１とカードリーダ操作装置１２とから構成されている。扉部材９は、断面略Ｌ字形に成形され、左端にて支軸１３により機枠１に対し前後に開閉可能に支持されている。皿形成体１０は、上面部１０ａと前面部１０ｂと背面部１０ｃとから断面略コ字形に成形されている。上面部１０ａの左端には遊技球供給皿１４が形成され、前面部１０ｂの下端には凸縁１５が前方に突出するように設けられ、そして、背面部１０ｃが扉部材９の前面に接合するようになっている。
【０００９】
前面カバー１１は、扉部材９に嵌合する門形の取付部１１ａと、それより前方において供給皿ユニット３の意匠面を形成するエプロン部１１ｂとから構成されている。取付部１１ａには、扉部材９の突起１６に係止されるスリット１７が形成されている。エプロン部１１ｂの上縁には、皿形成体１０の前記凸縁１５に係止される係止溝１８が形成され、エプロン部１１ｂの下縁には、扉部材９の前面溝１９に嵌合する嵌合片２０が突設されている。そして、前記各取付部材１５〜２０により、皿形成体１０及び前面カバー１１が扉部材９に対し分解可能に取り付けられている。
【００１０】
一方、カードリーダ操作装置１２は、箱体２２の内部にスイッチ２３を収容し、箱体２２の前面をパネル２４で覆い、パネル２４に手動操作部材としての押ボタン２５を設けて構成されている。箱体２２の上面には、皿形成体１０の前面部１０ｂに設けたスリット２６に後方から係止されるフック２７が突設され、箱体２２の背面には、皿形成体１０の背面部１０ｃに設けた係止孔２８に前方から係止される筒形突起２９が形成されている。そして、これらのフック２７及び筒形突起２９により、カードリーダ操作装置１２が皿形成体１０に着脱可能に組み付けられている。
【００１１】
また、パネル２４の前面には、３つの環状突起３０が並設され、左側の環状突起３０によって押ボタン２５が包囲されている。これに対し、前面カバー１１のエプロン部１１ｂには、環状突起３０が嵌合する３つの透孔３１が形成され、左側の透孔３１から押ボタン２５が露出するようになっている。
【００１２】
上記構成のパチンコ機によれば、皿形成体１０及び前面カバー１１が扉部材９に分解可能に取り付けられるとともに、カードリーダ操作装置１２が皿形成体１０に着脱可能に組み付けられているので、供給皿１４が損傷した場合は、皿形成体１０のみを単独で交換でき、スイッチ２３等が故障した場合も、操作装置１２のみを単独で交換することができ、供給皿ユニット３全体の交換が不要となる。特に、操作装置１２はフック２７及び筒形突起２９にて皿形成体１０に保持されているので、皿形成体１０の前面部１０ｂ及び背面部１０ｃを外側に弾性変形させることで、操作装置１２を皿形成体１０に簡単に脱着することができる。
【００１３】
また、皿形成体１０は断面略コ字形に成形されているから、それ自体で十分な強度を備えているうえ、筒形突起２９が前面部１０ｂと背面部１０ｃとの間に介在して皿形成体１０を補強しているので、前面カバー１１に外力が作用した場合でも、皿形成体１０が変形したり、操作装置１２が脱落したりするおそれがなく、供給皿ユニット３の全体を堅牢に構成することができる。しかも、押ボタン２５を包囲する環状突起３０が前面カバー１１の透孔３１に嵌合しているため、操作装置１２の組付強度がより一層向上するとともに、前面パネル１１及び操作装置１２の取合部から隙間をなくし、供給皿ユニット３の外観を見栄えよくすることも可能である。
【００１４】
なお、本発明は上記実施形態に限定されるものではなく、例えば、皿形成体１０、前面カバー１１及び操作装置１２の組み付けにネジ部材を併用したり、筒形突起２９にかえ板状突起や柱状突起を用いたり、押ボタン２５にかえスライド式又は接触式の手動操作部材を用いたりするなど、本発明の趣旨を逸脱しない範囲で各部の形状並びに構成を適宜に変更して具体化することも可能である。
【００１５】
【発明の効果】
以上詳述したように、本発明のパチンコ機によれば、扉部材に皿形成体と前面カバーとを分解可能に取り付け、皿形成体にカードリーダ操作装置を着脱可能に組み付けたので、供給皿が損傷したり操作装置が故障したりした場合に、これらを単独で容易に交換できるという優れた効果を奏する。
【図面の簡単な説明】
【図１】本発明の一実施形態を示すパチンコ機の全体斜視図である。
【図２】供給皿ユニットを分解して前方から見た斜視図である。
【図３】供給皿ユニットを分解して後方から見た斜視図である。
【図４】供給皿ユニットを中央部で破断して示す断面図である。
【図５】従来のパチンコ機を示す斜視図である。
【符号の説明】
１・・機枠、２・・前面扉、３・・供給皿ユニット、９・・扉部材、１０・・皿形成体、１０ａ・・上面部、１０ｂ・・前面部、１０ｃ・・背面部、１１・・前面カバー、１２・・カードリーダ操作装置、１４・・供給皿、２３・・スイッチ、２５・・押ボタン、２７・・フック、２９・・筒形突起、３０・・環状突起、３１・・透孔。
【図１】
0004304736.tif 000002
【図２】
0004304736.tif 000003
【図３】
0004304736.tif 000004
【図４】
0004304736.tif 000005
【図５】
0004304736.tif 000006